(57)【要約】【課題】  高齢者や歩行が不自由な人を自動車に移乗させることができる装置に、被介護者及び介護者の体力的な負担を軽減し得る機能を付与する。【解決手段】  車椅子などのような移動手段や、自動車に搭載可能な座椅子１の座面２の裏側に、たとえばフリーベア３のような摺動手段を取り付け、平坦な面を有する座椅子台を介して、自動車の座席に搭載する。被介護者の自動車への乗降に際しては、座椅子を搭載可能で高さ調整機能を有する台車と座椅子台との間に、平坦な面を有する連結板を渡し板として設置する。これによって、被介護者が着座した状態の座椅子１を、小さな力で自動車と台車の間で相互にスライドさせることができる。【選択図】図１
2011240101.tif 000002
【特許請求の範囲】
【請求項１】
座面の裏側に設けられた摺動手段と自動車の座席に固定するための固定バンドとを備えた座椅子と、前記座椅子を搭載可能で、自動車の座席に固定するための固定バンドを備えた四辺形の板状の座椅子台と、前記座椅子を搭載して搬送するための台車と、前記座椅子を前記座椅子台から前記台車に移動するための連結板とを有することを特徴とする座椅子搬送装置。
【請求項２】
前記摺動手段は、フリーベアであることを特徴とする、請求項１に記載の座椅子搬送装置。
【請求項３】
前記連結板は、前記連結板に垂直な方向に突出した接合手段を、対向する２辺に設けられたことを特徴とする、請求項１または請求項２に記載の座椅子搬送装置。
【請求項４】
前記座椅子台は、隣接する２辺の前記座椅子台に垂直な方向に設けられたストッパーと、前記接合手段が嵌合可能な接合手段受けを有することを特徴とする、請求項１ないし請求項３のいずれかに記載の座椅子搬送装置。
【請求項５】
前記台車は、前記接合手段が嵌合可能な接合手段受けを有する高さ調整ブロックをファスナーにより接合することが可能で、高さ調整用のパンタグラフジャッキと、複数の自在キャスターと、前記自在キャスターの少なくとも一つに設けられた固定用フォークを有することを特徴とする、請求項１ないし請求項４のいずれかに記載の座椅子搬送装置。
【発明の詳細な説明】
【技術分野】
【０００１】  本発明は、歩行の障害がある人を介護するための装置に関わり、被介護者が座椅子に座ったまま、自動車に乗降することなどが可能な、座椅子搬送装置に関するものである。
【背景技術】
【０００２】  家屋や交通機関のバリアフリーが提唱され、特に近年の我が国においては、人口の高齢化が顕著で、様々な場所で、齢者や歩行が不自由な人に対する介護が必要となっている。これに対処するために、自走機能や、利用者の起立を介助する機能を有する車椅子が開発されている。【０００３】  また、高齢者や歩行が不自由な人に限らず、中長距離の移動には自動車を使用する機会が多いため、車椅子から自動車への人の移動を介助するための介助装置が開発されている。【０００４】  例えば特許文献１には、金属製の支柱に取り付けられたハンドルと手すりと、ボルトを軸にして上下可動のスライド用座席と可動させるジャッキ、その固定用台とそれを取り付けるベース台と、それにボルト軸で付けられた開閉用アームと移動用のキャスターから構成された移乗用介助支援車が開示されている。【０００５】  また、特許文献２には、座面の上下動と回動が可能で、かつ座面の後方へのスライドが可能な構造を有する車椅子が開示されている。しかし、これらの装置は、被介護者を自動車に移乗させる際には、被介護者の身体を介護者が持ち上げる必要があり、介護者の負担軽減という観点から、改善の余地がある。
【先行技術文献】
【特許文献】
【０００６】
【特許文献１】  特開２００１−０３７８１４号公報
【特許文献２】  特開２００２−１８６６４８号公報
【発明の概要】
【発明が解決しようとする課題】
【０００７】  従って、本発明の課題は、高齢者や歩行が不自由な人を自動車に移乗させることができる装置に、介護者の体力的な負担を軽減し得る機能を付与することである。
【課題を解決するための手段】
【０００８】  本発明は、前記の課題解決のため、利用者が着座したまま、自動車の座席などに移乗させることが可能な装置を検討した結果なされたものである。【０００９】  即ち、本発明は、座面の裏側に設けられた摺動手段と自動車の座席に固定するための固定バンドとを備えた座椅子と、前記座椅子を搭載可能で、自動車の座席に固定するための固定バンドを備えた四辺形の板状の座椅子台と、前記座椅子を搭載して搬送するための台車と、前記座椅子を前記座椅子台から前記台車に移動するための連結板とを有することを特徴とする座椅子搬送装置である。【０００９】  また、本発明は、前記摺動手段が、フリーベアであることを特徴とする、前記の座椅子搬送装置である。【００１０】  また、本発明は、前記連結板が、前記連結板に垂直な方向に突出した接合手段を、対向する２辺に設けられたことを特徴とする、前記の座椅子搬送装置である。【００１１】  また、本発明は、前記座椅子台が、隣接する２辺の前記座椅子台に垂直な方向に設けられたストッパーと、前記接合手段が嵌合可能な接合手段受けを有することを特徴とする、前記の座椅子搬送装置である。【００１２】  また、本発明は、前記台車が、前記接合手段が混合可能な接合手段受けを有する高さ調製ブロックをファスナーにより接合することが可能で、高さ調整用のパンタグラフジャッキと、複数の自在キャスターと、前記自在キャスターの少なくとも一つに設けられた固定用フォークを有することを特徴とする、前記の座椅子搬送装置である。
【発明の効果】
【００１３】  本発明の座椅子搬送装置は、座面の裏側に摺動装置が取り付けられた座椅子を用い、座椅子台および連結板の上を、当該座椅子を滑らせることができる。このため、被介護者が着座したままでも、当該座椅子を小さな力で水平方向に移動することが可能なので、介助する側の負担を極めて小さくすることができる。
【図面の簡単な説明】
【００１４】
【図１】  本発明に係る座椅子搬送装置の座椅子の一例を示す斜視図。
【図２】  本発明に係る座椅子搬送装置の座椅子台の一例を示す斜視図。
【図３】  本発明に係る座椅子搬送装置の連結板の一例を示す斜視図。
【図４】  本発明に係る座椅子搬送装置の高さ調整ブロックの一例を示す斜視図。
【図５】  本発明に係る座椅子搬送装置の台車の一例を示す斜視図。
【発明を実施するための形態】
【００１５】  次に具体的な図を参照しながら本発明の実施の形態について説明する。
【００１６】  図１は、本発明に係る座椅子搬送装置の座椅子の一例を示す斜視図である。図１に示した座椅子１には座面２の裏側に、摺動手段としてフリーベア３が取り付けてあるので、座椅子１が平滑な面に載せてあれば、小さな力でも簡単に移動できる。また、付属する固定ベルト３を用いて自動車の座席の背もたれ部に固定できるので、自動車の揺れなどに伴う不測の事態に対処できる。
【００１７】  図２は、本発明に係る座椅子搬送装置の座椅子台の一例を示す斜視図である。自動車の座席に、座椅子１を直接載せると、座席のクッションのために移動が困難なので、図１に示した座椅子台５を用いて、座席の上に平坦な面を設ける必要がある。
【００１８】  この座椅子台５を自動車の座席に載せる際には、なるべく座椅子台５を水平に保持することが望ましいので、間にクッションなどを挟むとよい。この場合も座椅子１の場合と同様の機能を有する固定用ベルト８が取り付けられている。また、座椅子１が望ましくない方向に移動しないようにストッパー７が設けられるとともに、連結板を固定するための接合手段受け６ａが設けられている。
【００１９】  図３は、本発明に係る座椅子搬送装置の連結板の一例を示す斜視図である。この連結板９は、座椅子１を搬送する台車や車椅子と、自動車の座席に載せた座椅子台５との間を、座椅子１を相互に移動させる際に、渡し板として用いるもので、座椅子台５などに確実に固定できるように、接合手段１０ａ，１０ｂを備えていて、これらの先端を、座椅子台５に設けられた接合手段受け６ａなどに嵌合させて用いる。
【００２０】  また、中長距離の外出に用いる自動車は、殆どの場合同じものなので、連結板９の寸法や各辺のなす角度は、常用する自動車に合わせて設定しておくことができる。
【００２１】  図４は、本発明に係る座椅子搬送装置の高さ調整ブロックの一例を示す斜視図である。この高さ調整ブロック１１は、自動車など移乗先の高さに合わせて調製するものなので、必ずしも必要でない場合もある。これには、連結板９の一端を固定するための接合手段受け６ｂが設けられ、連結板９の接合手段１０ａ，１０ｂのいずれかを嵌合可能である。
【００２２】  また、この高さ調整ブロック１１は、座椅子１を搬送する台車に接合して用いるので、接合手段として、ファスナーフック１５ａ、１５ｂ、１５ｃが取り付けられている。
【００２３】  図５は、本発明に係る座椅子搬送装置の台車の一例を示す斜視図である。この台車１３は、座椅子１を載せる座椅子台座１４を有し、台車ベース２０に、高さ調整機能を有する支柱１６ａ、１６ｂ、１６ｃ、１６ｄを介して取り付けられている。そして座椅子台座１４と台車ベース２０の間には、パンタグラフジャッキ１８が取り付けられ、パンタグラフジャッキハンドル１９の操作により、座椅子台座１４の高さを調整することができる。
【００２４】  また、高さ調整ブロック１１を使用する場合に備えて、ファスナーロック１２ａ、１２ｂ、１２ｃが設けられている。高さ調整ブロック１１には、接合手段受け６ｂが設けられているが、これを用いない場合に備えて、座椅子台座１４の側面に、接合手段受けを設けてもよい。
【００２５】  さらに、この台車１３には、移動を容易にするために、自在キャスター２１ａ、２１ｂ、２１ｃ、２１ｄと、介助者用ハンドル１７が取り付けられている。自在キャスター２１ｂ、２１ｃには、必要に応じて作動を制御するための固定フォーク２２ａ、２２ｂが付属している。被介護者を自動車に乗せた後、台車１３は、必要に応じて高さを最低にして、自動車のトランクなどに載せることでき、移動先で使用することができる。
【００２６】  本発明による座椅子搬送装置は、以上に説明したような構成を備えているので、歩行の不自由な被介護者が着座した状態で、大きな力を要しないで座椅子を移動することが可能なので、自動車やベッドなどへの移乗に際しての被介護者や介護者の負担を軽減できる。なお、本発明は、前記実施の形態に限定されるものではなく、本発明の分野における通常の知識を有する者であれば想到し得る、各種変形、修正を含む要旨を逸脱しない範囲の設計変更があっても、本発明に含まれることは勿論である。
【符号の説明】
【００２７】１                              座椅子
２                              座面
３                              フリーベア
４，８                          固定ベルト
５                              座椅子台
６ａ，６ｂ                      接合手段受け
７                              ストッパー
９                              連結板
１０ａ，１０ｂ                  接合手段
１１                            高さ調整ブロック
１２ａ，１２ｂ，１２ｃ          ファスナーフック
１３                            台車
１４                            座椅子台座
１５ａ，１５ｂ，１５ｃ          ファスナーロック
１６ａ，１６ｂ，１６ｃ，１６ｄ  支柱
１７                            介助者用ハンドル
１８                            パンタグラフジャッキ
１９                            パンタグラフジャッキハンドル
２０                            台車ベース
２１ａ，２１ｂ，２１ｃ，２１ｄ  自在キャスター
２２ａ，２２ｂ                  固定フォーク
【図１】
2011240101.tif 000003
【図２】
2011240101.tif 000004
【図３】
2011240101.tif 000005
【図４】
2011240101.tif 000006
【図５】
2011240101.tif 000007